(57)【要約】【課題】複数の歌唱録音作品の採点の良い区間をつなぎ合わせるカラオケ歌唱録音作品の編集保管装置を提供する。【解決手段】情報通信ネットワークを介して多数のカラオケ録音装置と個別に通信し、カラオケ録音装置から送信されてくる区間別歌唱採点データ付きの歌唱録音作品と、これに対応付けされた作品の楽曲ＩＤと作品の作者ＩＤを受信して一時記憶し、これと同じ楽曲ＩＤ・作者ＩＤが付いた歌唱録音作品が保管手段に登録されている場合には、受信した歌唱録音作品の区間別歌唱採点データと登録されている歌唱録音作品の区間別歌唱採点データとを対比し、両作品の採点の良い区間をつなぎ合わせた新たな歌唱録音作品を編集し、編集後の歌唱録音作品を楽曲ＩＤ・作者ＩＤに対応付けして保管手段に更新登録し、カラオケ録音装置から送達された楽曲ＩＤ・作者ＩＤに該当する歌唱録音作品を保管手段から取り出して当該カラオケ録音装置に送達する歌唱録音作品の編集保管装置とする。【選択図】  図３
2005241847.tif 000002
【特許請求の範囲】
【請求項１】
情報通信ネットワークを介して多数のカラオケ録音装置と個別に通信する歌唱録音作品の編集保管装置であって、作品受信処理と、作品編集処理と、作品送信処理とを可能とし、
作品受信処理は、カラオケ録音装置から送信されてくる区間別歌唱採点データ付きの歌唱録音作品と、これに対応付けされた作品の楽曲ＩＤと作品の作者ＩＤを受信して一時記憶し、
作品編集処理は、受信した歌唱録音作品と同じ楽曲ＩＤ・作者ＩＤが付いた歌唱録音作品が保管手段に登録されているか否かを調べ、登録されている場合には、受信した歌唱録音作品の区間別歌唱採点データと登録されている歌唱録音作品の区間別歌唱採点データとを対比し、両作品の採点の良い区間をつなぎ合わせた新たな歌唱録音作品を編集し、編集後の歌唱録音作品を楽曲ＩＤ・作者ＩＤに対応付けして保管手段に更新登録し、
作品送信処理は、カラオケ録音装置から送達された楽曲ＩＤ・作者ＩＤに該当する歌唱録音作品を保管手段から取り出して当該カラオケ録音装置に送達する
歌唱録音作品の編集保管装置。
【請求項２】
情報通信ネットワークを介して多数のカラオケ録音装置と個別に通信する歌唱録音作品の編集保管装置であって、作品受信処理と、作品採点処理と、作品編集処理と、作品送信処理とを可能とし、
作品受信処理は、カラオケ録音装置から送信されてくる歌唱録音作品と、これに対応付けされた作品の楽曲ＩＤと作品の作者ＩＤを受信して一時記憶し、
作品採点処理は、受信した歌唱録音作品を区間別に採点して区間別歌唱採点データを付与し、
作品編集処理は、受信した歌唱録音作品と同じ楽曲ＩＤ・作者ＩＤが付いた歌唱録音作品が保管手段に登録されているか否かを調べ、登録されている場合には、受信した歌唱録音作品に付与された区間別歌唱採点データと登録されている歌唱録音作品の区間別歌唱採点データとを対比し、両作品の採点の良い区間をつなぎ合わせた新たな歌唱録音作品を編集し、編集後の歌唱録音作品を楽曲ＩＤ・作者ＩＤに対応付けして保管手段に更新登録し、
作品送信処理は、カラオケ録音装置から送達された楽曲ＩＤ・作者ＩＤに該当する歌唱録音作品を保管手段から取り出して当該カラオケ録音装置に送達する
歌唱録音作品の編集保管装置。
【請求項３】
作品送信処理は、カラオケ録音装置から送達された作者ＩＤに該当する歌唱録音作品集合を保管手段から取り出して当該カラオケ録音装置に送達する
請求項１または請求項２に記載の歌唱録音作品の編集保管装置。
【請求項４】
利用者の情報処理装置と通信可能であり、作品送信処理は、利用者の情報処理装置から送達された楽曲ＩＤ・作者ＩＤに該当する歌唱録音作品を保管手段から取り出して当該情報処理装置に送達する
請求項１〜３のいずれかに記載の歌唱録音作品の編集保管装置。
【請求項５】
作品送信処理は、利用者の情報処理装置から送達された作者ＩＤに該当する歌唱録音作品集合を保管手段から取り出して当該情報処理装置に送達する
請求項４に記載の歌唱録音作品の編集保管装置。
【発明の詳細な説明】
【技術分野】
【０００１】
この発明は、カラオケ歌唱録音作品の編集保管装置に関し、特に、フレーズ毎に歌唱採点結果が良いものをつなぎ合わせて編集する技術に関する。
【背景技術】
【０００２】
カラオケ歌唱者の歌声をカラオケ伴奏音楽と合成してＣＤ−Ｒなどの記録媒体に録音するサービスがよく知られている。たとえば特開２０００−３８２１３０号公報には、カラオケ伴奏音楽とその音楽に合わせて歌う歌唱音声を、著作権を考慮しつつ記録媒体に録音する技術について開示されている。
【０００３】
また、特開２００２−２８７７７７号公報には、歌唱に失敗した場合に対応して、カラオケカラオケ伴奏音楽と歌唱音声とを所定形式の録音ファイルとして作成して一時的に保存しておき、利用者の指示に従って可搬型記録媒体に転記するカラオケ録音装置について開示されている。
【特許文献１】特開２０００−３８２１３０号公報
【特許文献２】特開２００２−２８７７７７号公報
【発明の開示】
【発明が解決しようとする課題】
【０００４】
カラオケ録音サービスの利用者は、録音する前には何度も練習を重ね、ベストな歌唱を録音しようとする。録音をはじめても、プロの歌手のレコーディングさながらに、満足できる歌唱になるまで何度も繰り返したりする。
【０００５】
しかし、利用者にとって、１楽曲について気になる箇所や難しい箇所は１カ所とは限らない。むしろ複数箇所あるのが一般的である。一回の歌唱でその全ての箇所が満足な出来映えとなる可能性は、極めて低いと言わざるを得ない。プロの歌手でさえ、ステージで歌う場合に全てに満足な出来映えとすることは極めて難しい。まして、素人である利用者にとって難しいのは当然のことである。
【０００６】
ところで、プロの歌手がレコーディングする場合には、わずかに不満足な出来映えとなった箇所を部分的に歌い直して合成したりして修正することが多い。これには高性能で高価なレコーディング機材や高度な知識を有する専門家の耳と技を駆使して、複数の録音データを元にして加工することが必要である。
【０００７】
発明者らは録音サービスを行っているカラオケ店の利用実態を調査したところ、愛好者は、何度も来店し、自分にとっての課題曲を繰り返し録音していることがわかった。つまり、課題曲についての関心を長期にわたって維持し、カラオケにて練習を繰り返すとともに、練習成果を録音して持ち帰り、それを聴いて研究し、新たな練習課題を見つけ、練習し、成果を録音して研究する、ということを繰り返し行っている。
【０００８】
この発明の目的は、上記のような熱心なカラオケ愛好者に喜ばれる録音サービスを実現することにあり、利用者自身が歌った課題曲の録音作品として、できるだけ出来映えのよい作品を制作して提供できるようにすることにある。
【課題を解決するための手段】
【０００９】
上記目的を達成するために、本発明は、つぎの事項（１）〜（５）を備えた歌唱録音作品の編集保管装置とした。  
（１）情報通信ネットワークを介して多数のカラオケ録音装置と個別に通信する歌唱録音作品の編集保管装置であって、作品受信処理と、作品編集処理と、作品送信処理とを可能とすること、
（２）作品受信処理は、カラオケ録音装置から送信されてくる区間別歌唱採点データ付きの歌唱録音作品と、これに対応付けされた作品の楽曲ＩＤと作品の作者ＩＤを受信して一時記憶すること、
（３）作品編集処理は、受信した歌唱録音作品と同じ楽曲ＩＤ・作者ＩＤが付いた歌唱録音作品が保管手段に登録されているか否かを調べ、登録されている場合には、受信した歌唱録音作品の区間別歌唱採点データと登録されている歌唱録音作品の区間別歌唱採点データとを対比し、両作品の採点の良い区間をつなぎ合わせた新たな歌唱録音作品を編集し、編集後の歌唱録音作品を楽曲ＩＤ・作者ＩＤに対応付けして保管手段に更新登録すること、
（４）作品送信処理は、カラオケ録音装置から送達された楽曲ＩＤ・作者ＩＤに該当する歌唱録音作品を保管手段から取り出して当該カラオケ録音装置に送達すること、
【００１０】
またこの発明は、つぎの事項（１１）〜（１５）を備えた歌唱録音作品の編集保管装置とした。  
（１１）情報通信ネットワークを介して多数のカラオケ録音装置と個別に通信する歌唱録音作品の編集保管装置であって、作品受信処理と、作品採点処理と、作品編集処理と、作品送信処理とを可能とすること、
（１２）作品受信処理は、カラオケ録音装置から送信されてくる歌唱録音作品と、これに対応付けされた作品の楽曲ＩＤと作品の作者ＩＤを受信して一時記憶すること、
（１３）作品採点処理は、受信した歌唱録音作品を区間別に採点して区間別歌唱採点データを付与すること、
（１４）作品編集処理は、受信した歌唱録音作品と同じ楽曲ＩＤ・作者ＩＤが付いた歌唱録音作品が保管手段に登録されているか否かを調べ、登録されている場合には、受信した歌唱録音作品の区間別歌唱採点データと登録されている歌唱録音作品の区間別歌唱採点データとを対比し、両作品の採点の良い区間をつなぎ合わせた新たな歌唱録音作品を編集し、編集後の歌唱録音作品を楽曲ＩＤ・作者ＩＤに対応付けして保管手段に更新登録すること、
（１５）作品送信処理は、カラオケ録音装置から送達された楽曲ＩＤ・作者ＩＤに該当する歌唱録音作品を保管手段から取り出して当該カラオケ録音装置に送達すること、
【００１１】
この発明において、作品送信処理は、カラオケ録音装置から送達された作者ＩＤに該当する歌唱録音作品集合を保管手段から取り出して当該カラオケ録音装置に送達することが望ましい。
【００１２】
また、利用者の情報処理装置と通信可能であり、作品送信処理は、利用者の情報処理装置から送達された楽曲ＩＤ・作者ＩＤに該当する歌唱録音作品を保管手段から取り出して当該情報処理装置に送達することが望ましい。
【００１３】
この場合に、作品送信処理は、利用者の情報処理装置から送達された作者ＩＤに該当する歌唱録音作品集合を保管手段から取り出して当該情報処理装置に送達することが望ましい。
【発明の効果】
【００１４】
本発明のカラオケ歌唱録音作品の編集保管装置によれば、利用者は気軽にいつでも何度でも歌い直して歌唱録音作品を部分的に編集して保管しておいたり、聞いたりすることができ、満足がいく作品になったら媒体に録音したりすることができる。そのため、歌唱を録音するためのカラオケ利用だけでなく、練習を目的とするカラオケ利用や初めて録音サービスを利用する回数も増加し、全体としてカラオケ利用機会が増大する効果を期待できる。
【発明を実施するための最良の形態】
【００１５】
＝＝＝ネットワーク構成＝＝＝
図１は多数の客室があるカラオケ店舗に装備されるカラオケ集合システムに本発明を適用したシステム構成例を示す図である。各客室１００のそれぞれに設置されたカラオケ装置１およびパソコン相当の汎用コンピュータ（客室コンピュータ）２と、店舗のフロントなどに設置された１台の管理コンピュータ３とを備え、これらがＬＡＮ８により接続されている。また、管理コンピュータ３はインターネットなどの外部ネットワーク６に接続され、前記ＬＡＮ８接続された各カラオケ装置１および客室コンピュータ２と外部ネットワーク６上で運用されている外部サーバー７との間のＴＣＰ／ＩＰ通信を中継する。
【００１６】
各客室１００のカラオケ装置１は、周知の通信カラオケシステムの演奏端末と同等の機能を備えている。カラオケ装置１は、楽曲ＩＤによって識別される多数のカラオケ楽曲について、ＭＩＤＩ形式で記述された音楽生成データと歌詞画像の生成起源となる歌詞描出データとを含むカラオケデータを適宜な外部記憶に格納し、カラオケデータベースとして管理している。  
また、電話回線などの通信回線４を介して接続されたカラオケホスト装置５と適時に通信し、新譜楽曲についてのカラオケデータを取り寄せ、カラオケデータベースの内容を随時更新している。またカラオケ装置１は、自身の稼働状態や演奏履歴などをログに録っており、このログを適宜な通信機会にカラオケホスト装置５に送信する。
【００１７】
編集保管装置１０は外部サーバー７の一つであって、カラオケ事業者が運用管理するコンピュータである。編集保管装置１０は、外部ネットワーク６を介して管理コンピュータ３にＬＡＮ接続された各地に散在する多数のカラオケ装置１や、利用者の情報処理装置としての自宅のパソコン２０や所持する携帯電話機２０とデータ通信する。
【００１８】
カラオケ録音装置は、カラオケ店舗の各客室１００に設置された客室コンピュータ２と、管理コンピュータ３と、管理コンピュータ３に接続されたＣＤ−Ｒレコーダ９とを主体に構成されている。管理コンピュータ３とＣＤ−Ｒレコーダ９とはＳＣＳＩ規格などの周知の通信インタフェースにより接続されている。また編集録音装置１０とは、管理コンピュータ３が外部ネットワーク６を介することによりデータ通信する。  
また、客室コンピュータ２には、同じ客室１００内に設置されたカラオケ装置１からのカラオケ伴奏音楽と、マイクロホンから入力された歌唱音声のアナログ音響信号とを、それぞれ別系統のラインで入力してデジタル音声データにＡ／Ｄ変換するためのオーディオインタフェース（図示せず）が備わっている。
【００１９】
利用者のパソコン２０や携帯電話機２０は、ブラウザを実装しＪＡＶＡ実行環境を備えている。本実施例の歌唱録音作品の取り出しに関わる各種処理を実行するためのＪＡＶＡプログラムは、編集保管装置１０からダウンロードして利用可能である。
【００２０】
なお、編集保管装置１０は、カラオケホスト装置５と一体のハードウェア装置とすることも可能である。この場合、カラオケホスト装置５を外部ネットワーク６にも接続するように構成する。
【００２１】
＝＝＝カラオケ録音装置の基本機能＝＝＝
客室コンピュータ２は、利用者を識別する利用者ＩＤの入力を受け付けるユーザインタフェースを備えている。利用者ＩＤとしては、電話番号やカラオケ店舗で振り出した番号のほか、利用者自身で予め登録した氏名やニックネームや写真などの識別標章や、利用者の指紋や虹彩など、利用者を特定できるものであれば適用可能である。
【００２２】
客室コンピュータ２はまた、所定の利用者入力を受け付け、その入力操作後に同じ客室１００にあるカラオケ装置１からＬＡＮ８を介してカラオケ楽曲の演奏開始のタイミング情報を受け取ると、オーディオインタフェースに入力されたカラオケ伴奏音楽と歌唱音声のアナログ信号を受け取ってそれぞれデジタルデータに変換し、それらのデータをＲＡＭなどに格納する。そして演奏終了の情報がカラオケ装置１から転送されてくると、ＷＡＶＥファイルなどの適宜な形式のファイルとし、内蔵のハードディスク装置などに一時的に記憶（暫定録音）する。  
この際に、カラオケ伴奏音楽と歌唱音声とは別トラックに、時間軸を合わせて記憶する。
【００２３】
その後、利用者の所定の指示入力を受け付けて、あるいは演奏終了後デジタルデータが取り込まれた際に自動的に、この音声データに楽曲ＩＤおよび利用者ＩＤ（作者ＩＤ）を付して歌唱録音作品として、編集保管装置１０に転送する。
【００２４】
＝＝＝作品採点処理＝＝＝
編集保管装置１０は歌唱録音作品を採点する機能を備えている。この機能は、よく知られたカラオケ装置１の歌唱採点機能とほぼ同様の機能である。カラオケ楽曲のそれぞれについて、採点の基準となる主旋律データをハードディスク装置などの適宜な記憶部に格納し、楽曲ＩＤをキー情報として管理している。編集保管装置１０では、カラオケ装置１から客室コンピュータ２を介して歌唱録音作品を受信すると、歌唱録音作品の歌唱音声トラックと楽曲ＩＤに対応する主旋律データとを取り出して、以下に説明する作品採点処理を行う。
【００２５】
本発明において、作品採点は区間別に行われる。各区間は、楽曲の歌詞の区切りや息継ぎ箇所などの不自然でない区切りを始点または終点とする区間として定義されたものである。編集保管装置１０で管理している主旋律データには、各区間の区切りを指定する区間指定データが対応付けされている。  
区間指定データは、区間番号と各区間（始点と終点で定義される）とを対応付けしたデータである。各区間の始点および終点は、音楽データの小節番号と拍番号とによって表示される。
【００２６】
編集保管装置１０は歌唱録音作品を受け取ると、歌唱音声トラックとこの楽曲についての主旋律データと比較対照し、区間指定データにより指定された区間ごとにピッチや符長の一致度合いを算出する。そして、各区間で算出した一致度合いを表す数値（区間別歌唱採点データ）および区間指定データを歌唱録音作品に対応付けして、適宜な記憶部に記憶する。図２に区間別歌唱採点データ付き歌唱録音作品のデータ論理構成のイメージを図示している。  
なお、歌唱採点はカラオケ録音装置で行うこととし、歌唱録音作品に区間別歌唱採点データを付したものを編集保管装置１０が受信するようにしてもよい。
【００２７】
＝＝＝作品編集処理＝＝＝
編集保管装置１０は歌唱録音作品の採点処理が終了すると、ハードディスク装置などの適宜な記憶部に、楽曲ＩＤと作者ＩＤと対応付けして記憶（登録）する。この際にまず、この楽曲ＩＤと作者ＩＤに対応する歌唱録音作品が既に編集保管装置１０に登録されているか否かを検索する。該当する歌唱録音作品が既に登録されている場合には、これを取り出し、各区間における採点データを順次対比する。図３に作品編集処理の処理イメージを図示している。
【００２８】
対比の結果、ある区間について（図３では区間３）、既登録の歌唱録音作品の採点データ（図３では７８点）より、受信した最新の歌唱録音作品の採点データ（図３では８５点）の方が良い結果を示している（採点結果の数値が大きい）場合には、当該区間についてのみ、最新の歌唱録音作品の歌唱音声トラックの当該区間を既登録歌唱録音作品の歌唱音声トラックの該当区間に置き換えて（上書き）一時記憶する。逆に既登録歌唱録音作品の採点結果の方が良いか結果が不変の区間（図３の区間１、２、４）については、置き換えることなく元の作品の区間をそのまま残して一時記憶する。
【００２９】
当該楽曲の全区間についてこれを繰り返すことにより、区間ごとに採点結果のよい方だけを残した新たな歌唱録音作品が編集される。この編集後の新たな歌唱録音作品に楽曲ＩＤと作者ＩＤを対応付けし、編集保管装置１０に更新登録する。
【００３０】
＝＝＝作品送信処理＝＝＝
利用者は、客室コンピュータの２ユーザインタフェースを介して、編集保管装置１０に登録されている歌唱録音作品をカラオケ装置１にダウンロードして試聴可能である。すなわち、利用者が客室コンピュータ２を介して作者ＩＤおよび楽曲ＩＤを指定すると、編集保管装置１０は該当の歌唱録音作品が登録されていれば、それを管理コンピュータ３を介して客室コンピュータ２（カラオケ録音装置）に送信する。客室コンピュータ２は、試聴する旨の利用者の指示に応じて、受け取った歌唱録音作品を再生してカラオケ装置１のスピーカから音響出力させる。
【００３１】
客室コンピュータ２では、さらに録音する旨の利用者の指示があれば、管理コンピュータ３を介してＣＤ−Ｒレコーダ９に送信し、媒体（ＣＤ−Ｒ）に録音する。
【００３２】
以上に説明した編集保管装置１０によれば、利用者は気軽にいつでも何度でも歌い直して歌唱録音作品を部分的に編集して保管しておいたり、聞いたりすることができ、満足がいく作品になったら媒体に録音したりすることができる。
【００３３】
なお、利用者が作者ＩＤのみを指定することも可能である。この場合には、指定された作者ＩＤに対応して楽曲ＩＤの異なる複数の歌唱録音作品があれば、その全てを取り出す。そして、利用者の指示に応じて、適宜な順番で再生出力したり媒体に録音したりする。これによれば、利用者が好きな曲やうまく歌える曲を集めたベストアルバムを作ることなどができ、カラオケの新たな楽しみ方が創出される。
【００３４】
利用者はまた、自宅のパソコン２０や自身が所持する携帯電話機２０を使って、歌唱録音作品のダウンロードを指示することも可能である。外部ネットワーク６を介して編集保管装置１０にアクセスすることにより、作者ＩＤや楽曲ＩＤを指定し、操作中のパソコン２０や携帯電話機２０にダウンロードさせる。この場合には、あらかじめ必要なプログラムを編集保管装置からダウンロードしてインストールしておく。携帯電話機２０にダウンロードする場合には、編集保管装置１０からは例えばＭＰ３形式などの適宜な形式に変換した歌唱録音作品を当該携帯電話機２０に送信する。  
もちろん、作者ＩＤのみを指定して当該作者の複数の歌唱録音作品をダウンロードすることも可能である。
【００３５】
これによれば、カラオケ店舗においてだけでなく、どこでも気軽に自分の歌唱録音作品を楽しむことができるので、着メロにするなど、楽しみ方がさらに拡がり、またカラオケ利用の機会が増えることが期待される。
【００３６】
なお、上記実施例においては、歌唱録音作品に歌唱音声トラックと伴奏音楽トラックとを含む構成としたが、歌唱録音作品には歌唱音声トラックのみを記録することも可能である。この場合にカラオケ録音装置で試聴（再生）したり媒体に録音したりする際には、カラオケ装置１と同期をとってカラオケ装置１からカラオケ伴奏音楽を再生出力する。このようにすると、歌唱録音作品の試聴時や録音媒体のカラオケ伴奏音楽についてその品質を保つことができる。  
また、歌唱音声トラックには、歌唱時に設定したテンポやキーの情報を含めておく。これによれば、歌唱録音作品とカラオケ伴奏音楽の再生とがスムーズに合成できる。
【図面の簡単な説明】
【００３７】
【図１】本発明に係るカラオケ録音編集方式を採用した編集保管装置を含むネットワーク構成図である。
【図２】上記編集保管装置で編集される歌唱録音作品のデータ論理構成図である。
【図３】上記編集保管装置における作品編集処理の処理イメージ図である。
【符号の説明】
【００３８】
１  カラオケ装置
２  客室コンピュータ
３  管理コンピュータ
６  外部ネットワーク（インターネット）
１０  編集保管装置
２０  情報処理装置
【図１】
2005241847.tif 000003
【図２】
2005241847.tif 000004
【図３】
2005241847.tif 000005